(57)【要約】【課題】耐久性に優れたエレベーター巻上機のパルス検出装置を提供する。【解決手段】回転するドラムと、ドラムに押し付けられ、ドラムの回転をパルス検出するためのゴムローラーと、ゴムローラーで検出したパルスに応じてエレベーターの位置検出情報を出力するエンコーダーとを備えて成るエレベーター巻上機用パルス検出装置であって、ゴムローラーのゴム部分は、エチレン・ポリプロピレン系ゴムで構成されている。【選択図】図１
2011190050.tif 000002
【特許請求の範囲】
【請求項１】
回転するドラムと、
前記ドラムに押し付けられ、前記ドラムの回転をパルス検出するためのゴムローラーと、
前記ゴムローラーで検出したパルスに応じてエレベーターの位置検出情報を出力するエンコーダーとを備えて成るエレベーター巻上機用パルス検出装置であって、
前記ゴムローラーのゴム部分は、エチレン・ポリプロピレン系ゴムで構成されていることを特徴とするエレベーター巻上機用パルス検出装置。
【請求項２】
前記ゴムローラーのゴム部分は、炭化ケイ素（Ｓｉ Ｃ）又は窒化アルミニウムを充填材として充填していることを特徴とする請求項１記載のエレベーター巻上機用パルス検知装置。
【請求項３】
前記充填材を充填した前記ゴムローラーは、硬度が約７０、充填材の含有率が約５０％であることを特徴とする請求項２記載のエレベーター巻上機用パルス検知装置。
【請求項４】
前記ゴムローラーのゴム部分は、その内部に空洞部が形成されていることを特徴とする請求項１乃至請求項３のいずれか１項に記載のエレベーター巻上機用パルス検知装置。
【請求項５】
前記空洞部の大きさは、前記ゴム部分の体積の約５０％であることを特徴とする請求項４記載のエレベーター巻上機用パルス検知装置。
【請求項６】
前記ゴムローラーは、アルミナ（Ａｌ２Ｏ３）又は窒化アルミニウムから成る軸部分を有することを特徴とする請求項１乃至請求項５のいずれか１項に記載エレベーター巻上機用パルス検知装置。
【請求項７】
前記ゴムローラーの軸部分に、前記ドラムの回転に伴い前記ゴムローラー近傍の空気を撹拌させる羽部材が取着されていることを特徴とする請求項１乃至請求項６のいずれか１項記載のエレベーター巻上機用パルス検知装置。
【請求項８】
前記ゴムローラーの軸部分の円周方向に突き出した突起が形成されていることを特徴とする請求項１記載のエレベーター巻上機用パルス検知装置。
【請求項９】
前記突起の形状は、前記ゴムローラーのゴム部分が前記ドラムに押し付けられた際、応力集中を避けた構造であることを特徴とする請求項８記載のエレベーター巻上機用パルス検知装置。
【発明の詳細な説明】
【技術分野】
【０００１】
本発明は、エレベーター巻上機用パルス検出装置に関する。
【背景技術】
【０００２】
エレベーターの位置検出装置として、一端部が回動自在にかご側に軸支された腕と、その腕の自由端側に取り付けられ、案内レールに接触して転動するローラと、そのローラの回転軸に連結されてローラ外周の移動量に比例したパルスを発生するパルス発生器とを備えたエレベーターの位置検出装置が提案されている（例えば、特許文献1参照。）。
【０００３】
また、パルス発生器からのパルス数を予め計測した各階床間のパルス数と比較することにより、乗りかごの着床異常を検出することが行われている（例えば、特許文献２参照。)。
【０００４】
また、電動機に繋がれて回転するドラムにパルス検出用ゴムローラーを押し付け、ドラムが回転するとドラムとの摩擦によりゴムローラーが回転し発生する動力をゴムローラーに繋いでいるエンコーダーに伝え、エンコーダーが検出したアドレスによってエレベーターの位置を検出することも知られている。
【先行技術文献】
【特許文献】
【０００５】
【特許文献１】特開平５−３１９７１７号公報
【特許文献２】特開平６−１１５８３７号公報
【発明の概要】
【発明が解決しようとする課題】
【０００６】
上記した位置検出装置におけるゴムローラーは交換部品であり、定期点検時に交換の要否を判断するか、着床エラー等の不具合が発生してからゴムローラーの交換が行われる。
【０００７】
しかしながら、ゴムローラーの交換の判断基準には保守要員による主観的な差異が生じ、また、着床エラー等の不具合が発生してからの交換は、エレベーターの利用者に不便をきたすだけでなく、ゴムローラーが摩擦熱に弱いという問題があった。
【０００８】
そこで、本発明はかかる従来の事情に対処してなされたものであり、耐久性に優れたエレベーター巻上機用パルス検出装置を提供することを目的とする。
【課題を解決するための手段】
【０００９】
本発明の一態様によれば、回転するドラムと、前記ドラムに押し付けられ、前記ドラムの回転をパルス検出するためのゴムローラーと、前記ゴムローラーで検出したパルスに応じてエレベーターの位置検出情報を出力するエンコーダーとを備えて成るエレベーター巻上機用パルス検出装置であって、前記ゴムローラーのゴム部分は、エチレン・ポリプロピレン系ゴムで構成されていることを特徴とするエレベーター巻上機用パルス検出装置が提供される。
【００１０】
エレベーター巻上機用パルス検出装置は、前記ゴムローラーのゴム部分は、炭化ケイ素（Ｓｉ Ｃ）又は窒化アルミニウムを充填材として充填していることを特徴とする。
【００１１】
エレベーター巻上機用パルス検出装置は、前記ゴムローラーのゴム部分は、その内部に空洞部が形成されていることを特徴とする。
【００１２】
エレベーター巻上機用パルス検出装置は、前記ゴムローラーは、アルミナ（Ａｌ２Ｏ３）又は窒化アルミニウムから成る軸部分を有することを特徴とする。
【発明の効果】
【００１３】
本発明によれば、耐久性に優れたエレベーター巻上機のパルス検出装置を得ることができる。また、主要部品の経年変化が抑制出来るので、ブレーキ保持力低下の傾向を的確に推測することができ、ブレーキのメンテナンス時期の予測が可能となる。
【図面の簡単な説明】
【００１４】
【図１】エレベーターの位置検出装置の要部を示す正面図である。
【図２】エレベーター巻上機用パルス検知装置のパルス検出用ゴムローラーの構成を示す構成図である。
【図３】エレベーター巻上機用パルス検出用ゴムローラーのゴム部分の空洞を示す図である。
【図４】エレベーター巻上機用パルス検出用ゴムローラーの軸部分の冷却フィン形状を示す模式図である。
【図５】エレベーター巻上機用パルス検出用ゴムローラーのゴム部分及び軸部分の形状を示す模式図である。
【発明を実施するための形態】
【００１５】
以下、本発明の一実施の形態について、図面を参照して説明する。尚、各図において同一箇所については同一の符号を付し、重複した説明は省略する。
【００１６】
図１は、本発明の第１の実施形態に係るエレベーターの位置検出装置の要部を示す正面図である。図１に示すように、エレベーターの位置検出装置は、ドラム１、パルス検出用ゴムローラー２、エンコーダー３、巻上機本体４で構成されている。このように構成したエレベーターの位置検出装置は、電動機（図示しない）に繋がれて回転するドラム１にパルス検出用ゴムローラー２を押し付け、ドラム１との摩擦によって発生するゴムローラー２の回転をゴムローラー２に繋いだエンコーダー３に伝え、エンコーダー３が検出したアドレスによってエレベーターの位置検出情報を出力する。ゴムローラー２の押し付け量としては、例えば、直径が約１ｍｍ、変形する程度とする。押し付け量が大き過ぎると、耐久性を悪くし、押し付け量が小さすぎると、スリップの虞があるからである。
【００１７】
図２は、エレベーター巻上機用パルス検知装置のパルス検出用ゴムローラー２の構成を示す構成図である。ゴムローラー２のゴム部分には、エチレン・ポリプロピレン系ゴム（以下、ＥＰ系ゴムという。）を適用するのが好適である。ＥＰ系ゴムは、エチレンとポリプロピレンにある種のジエンを加えた三元共重合体である。
【００１８】
このＥＰ系ゴムは、ポリエステル・ポリウレタン系ゴムに比べて、はるかに耐候性に優れ、寿命延長やポリエステル・ポリウレタン系ゴムに特有の加水分解の防止、耐摩耗性、耐圧縮永久歪が良好なものとなる。ゴムローラー２のゴム部分は、例えば、３年程度の使用期間に耐えられるよう、硬度を７０とするのが好適である。硬度が低すぎると、耐久性が劣るからである。
【００１９】
ゴムローラー２の軸部分２ｂには、放熱のため熱伝導率の高い材質を適用する。軸部分２ｂは、例えば、アルミナ（Ａｌ２Ｏ３）、窒化アルミニウム等のセラミックスで製作するのが好適である。アルミナの熱伝導率は、約３０Ｗ／ｍ・Ｋ、窒化アルミニウムの熱伝導率は、約２００Ｗ／ｍ・Ｋである。軸部分２ｂの熱伝導率を高くすることでゴム内部の熱を溜め込まないようにし、ゴム内部の温度上昇を抑制することができる。
【００２０】
押し付けられたゴムローラー２が回転する際、ゴム内部の分子摩擦により、発熱する。この発熱が、ゴム内部に留まると、次第にゴム自体を溶融させ、異常変形を来すことになる。そこで、分子摩擦熱を効果的に放熱させることが、耐久性の観点からも必要である。例えば、ゴムローラー２のゴム部分２ａにおいて、炭化ケイ素（Ｓｉ Ｃ）あるいは窒化アルミニウム等の熱伝導性の良好な充填材を適用するのが好適である。充填材は、ゴムローラー２の硬度が７０程度となるように選定し、炭化ケイ素（Ｓｉ Ｃ）の熱伝導率は、約１６０Ｗ／ｍ・Ｋである。また、充填材の含有率は、例えば、５０％程度が好適である。
【００２１】
図３は、パルス検出用ゴムローラー２のゴム部分２ａの空洞を示す図である。ゴム部分２ａの内部に空洞を設ける。この空洞は、ゴム部分２ａの変形によりゴム内部で発生する分子摩擦に伴う温度上昇を低減させるためのものである。空洞の大きさは、例えば、ゴム部分２ａの体積の５０％程度とする。十分に、分子摩擦熱を逃がすためである。
【００２２】
図４は、パルス検出用ゴムローラー２の冷却構造を示す図である。軸部分２ｂの先端に羽（フィン）６を付ける。ゴムローラー２の回転に伴い、羽（フィン）６周囲の空気が撹拌され、風を発生させる。風がゴムローラー２のゴム部分２ａに吹き付けるようにあたるので、分子摩擦熱を効果的に放熱させることができる。尚、図４に示した羽（フィン）６では、エレベータが上昇する際に羽（フィン）６周囲の空気がゴムローラー２のゴム部分２ａに吹き付け、エレベータが下降する際には、ゴムローラー２の回転方向は反時計周りとなるので、羽（フィン）６による空気流の向きは、一般的には、エレベータの上昇、下降は交互となる。
【００２３】
図５は、パルス検出用ゴムローラー２のゴム部分２ａおよび軸部分２ｂの形状を示す図である。軸部分２ｂの円周方向に突起７を形成している。この突起７は、軸部分２ｂからの放熱を円滑にするためのものである。突起７の形状としては、ゴム部分２ａが押し付けられたときの応力集中を避けるために、適宜、丸み（アール）をつけている。突起７は、例えば、ゴム断面積の４０％程度が好適である。突起７は、軸部分２ｂと一体的に形成しても、別体として形成したものを取り付けてもよい。例えば、図３に示した内部を空洞化したゴムをこの突起７に被せるような構造とすることも好適である。
【００２４】
本実施形態によれば、ドラムとゴムローラー間およびゴム内部で発生する分子摩擦熱によるゴムの温度上昇を抑え、ゴムの劣化を遅らせることができるので、エレベーター巻上機のパルス検出装置として耐久性に優れたものとなる。
【００２５】
なお、本発明は上記の実施形態のそのままに限定されるものではなく、実施段階ではその要旨を逸脱しない範囲で構成要素を変形して具体化できる。また、上記の実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００２６】
１：ドラム
２：パルス検出用ゴムローラー
２ａ：パルス検出用ゴムローラーゴム部分
２ｂ：パルス検出用ゴムローラー軸部分
３：エンコーダー
４：巻上機本体
５：空洞
６：冷却フィン
７：突起
【図１】
2011190050.tif 000003
【図２】
2011190050.tif 000004
【図３】
2011190050.tif 000005
【図４】
2011190050.tif 000006
【図５】
2011190050.tif 000007